(57)【特許請求の範囲】
【請求項１】
データ再生装置に通信経路を介して接続され、当該データ再生装置においてコンテンツデータを再生するための再生形式を指定する再生形式指定データを生成して前記データ再生装置に送信する、データ生成装置であって、
前記データ再生装置には、再生されるべき複数のコンテンツデータが当該データ生成装置とは異なるコンテンツデータ提供手段から提供され、
当該データ生成装置は、
前記コンテンツデータの各々の識別データについて、ユーザの指示に応じて、当該コンテンツデータの識別データと、当該コンテンツデータの識別データに対応した前記コンテンツデータの前記データ再生装置における再生タイミングと、当該コンテンツデータの識別データに対応した前記データ再生装置に提供される前記コンテンツデータと前記データ再生装置において同時に再生される他のコンテンツデータを特定するデータとを対応付けて前記再生形式指定データを生成する、再生形式指定データ生成手段と、
当該生成した再生形式指定データを前記データ再生装置に前記通信経路を介して送信する送信制御手段と
を有する、データ生成装置。
【請求項２】
前記再生形式指定データ生成手段は、
前記データ再生装置が、新たな前記再生形式指定データを受け取るタイミングを示す更新タイミング規定データを含む第１のデータ部と、
前記複数のコンテンツデータの各々に対応して設けられ、対応するコンテンツデータの前記識別データと、前記再生タイミングと、前記同時に再生される他の前記コンテンツデータを特定するデータとを対応付けて示す複数の第２のデータ部と
を含む前記再生形式指定データを生成する
請求項１に記載のデータ生成装置。
【請求項３】
前記再生形式指定データ生成手段は、前記同時に再生される他の前記コンテンツデータに対応する前記第２のデータ部の識別データを、前記同時に再生される他の前記コンテンツデータを特定するデータとして含む、前記再生形式指定データを生成する、
請求項２に記載のデータ生成装置。
【請求項４】
前記再生形式指定データ生成手段は、前記コンテンツデータが画像データである場合に、前記データ再生装置での再生画面内における前記画像データの表示位置および表示サイズを示すデータをさらに含む、前記第２のデータ部を生成する、
請求項２に記載のデータ生成装置。
【請求項５】
当該データ生成装置は、前記再生タイミングを規定し、同じ再生タイミングで再生される複数の前記コンテンツデータを指定する入力欄を有し、前記再生タイミングに応じて複数の前記入力欄が順に設けた入力画面を表示する制御を行う表示制御手段をさらに有し、  前記再生形式指定データ生成手段は、前記表示制御手段によって表示制御された前記入力画面上で同じ前記入力欄に入力された複数の前記コンテンツデータの前記識別データのそれぞれについて、当該コンテンツデータと前記データ再生装置で同時に再生される他の前記コンテンツデータを特定するデータを対応付けて示す前記再生形式指定データを生成する、
請求項１に記載のデータ生成装置。
【請求項６】
前記コンテンツデータは、動画、静止画、音声およびテキストの少なくとも一つのデータを含む、
請求項１〜５のいずれかに記載のデータ生成装置。
【請求項７】
前記再生形式指定データ生成手段は、前記コンテンツデータの再生に係わる前記データ再生装置に接続された機器を制御する制御データを、当該機器の制御タイミングに対応した前記再生タイミングとさらに対応付けて示す前記再生形式指定データを生成する、
請求項１に記載のデータ生成装置。
【請求項８】
前記コンテンツデータが動画像のデータである場合に、所定のフレームから当該動画像の最初に再生されるフレームまでのフレーム数を示すスポット累積データをさらに対応付けて示す前記再生形式指定データを生成する、
請求項１に記載のデータ生成装置。
【請求項９】
コンテンツデータを再生するための再生形式を指定する再生形式指定データを生成して送信するデータ生成装置に通信経路を介して接続され、前記データ生成装置から送信された再生形式指定データに従って当該データ生成装置以外の手段から提供されたコンテンツデータを再生する、データ再生装置であって、
複数のコンテンツデータの各々の識別データについて、当該識別データと、当該識別データに対応した前記コンテンツデータの当該データ再生装置での再生タイミングと、当該識別データに対応した前記コンテンツデータと当該データ再生装置で同時に再生される他の前記コンテンツデータを特定するデータとを対応付けて示す再生形式指定データを、前記通信経路を介して入力する入力手段と、
前記入力手段が入力した前記再生形式指定データに示された各々の前記識別データについて、当該識別データに対応するコンテンツデータと、当該識別データと対応付けられた前記他のコンテンツデータとを、当該識別データに対応付けられた前記再生タイミングで同時に再生する、コンテンツデータ再生手段と
を有する、データ再生装置。
【請求項１０】
前記コンテンツデータ再生手段は、少なくとも２つのデコーダを有し、当該２つのデコーダによりシームレスに復号処理を行う、
請求項９に記載のデータ再生装置。
【請求項１１】
前記コンテンツデータは、動画、静止画およびテキストの少なくとも一つのデータを含む、
請求項９に記載のデータ再生装置。
【請求項１２】
前記再生形式指定データが、前記コンテンツデータの再生に係わる当該データ再生装置に接続された機器を制御する制御データを当該機器の制御タイミングに対応した前記再生タイミングとさらに対応付けて示す場合に、前記再生タイミングで、当該再生タイミングに対応付けられた制御データを基に前記機器を制御する機器制御手段をさらに有する、
請求項９に記載のデータ再生装置。
【請求項１３】
前記コンテンツデータが動画像のデータであり、前記再生形式指定データが所定のフレームから当該動画像の最初に再生されるフレームまでのフレーム数を示すスポット累積データをさらに対応付けて示す場合に、前記再生手段は、前記スポット累積データを基に、前記動画像の再生を開始するタイミグを決定する、
請求項９に記載のデータ再生装置。
【請求項１４】
通信経路を介して接続されたデータ生成装置とデータ再生装置とを有し、
前記データ再生装置は、前記データ生成装置以外の装置から再生すべき複数のコンテンツデータが提供され、
前記データ生成装置は、前記複数のコンテンツデータの各々の識別データについて、当該識別データと、当該識別データに対応した前記コンテンツデータの当該データ再生装置での再生タイミングと、当該識別データに対応した前記コンテンツデータと当該データ再生装置で同時に再生される他の前記コンテンツデータを特定するデータとを対応付けて示す再生形式指定データを生成し、当該生成した再生形式指定データを前記通信経路を介して前記データ再生装置に送信し、
前記データ再生装置は、前記通信経路を介して前記データ生成装置から受信した前記再生形式指定データに示された各々の前記識別データについて、当該識別データに対応するコンテンツデータと、当該識別データと対応付けられた前記他のコンテンツデータとを、当該識別データに対応付けられた前記再生タイミングで同時に再生する、
データ処理システム。
【請求項１５】
通信経路を介して接続されたデータ再生装置において複数のコンテンツデータを再生するための再生形式を指定する再生形式指定データを生成する、コンピュータを用いて構成される、入力手段と、再生形式指定データ生成手段と、送信制御手段とを有するデータ生成装置におけるデータ生成方法であって、
前記入力手段によってユーザからの操作命令を入力する第１の工程と、
前記再生形式指定データ生成手段が、前記第１の工程で入力した前記操作命令を基に、前記複数のコンテンツデータの各々の識別データについて、当該識別データと、当該識別データに対応した前記コンテンツデータの前記データ再生装置での再生タイミングと、当該識別データに対応した前記コンテンツデータと前記データ再生装置で同時に再生される他の前記コンテンツデータを特定するデータとを対応付けて示す、前記再生形式指定データを生成する第２の工程と、
前記送信制御手段が、前記第２の工程で生成された前記再生形式指定データを前記通信経路を介して前記データ再生装置に送信する第３の工程と
を有するデータ生成方法。
【請求項１６】
コンピュータを用いて構成される、受信手段と、コンテンツデータ再生手段とを有し、通信経路を介して接続されたデータ生成装置から送信された再生形式指定データに基づいてコンテンツデータを再生するデータ再生装置におけるデータ再生方法であって、
前記受信手段が、前記データ生成装置以外の装置から再生すべきコンテンツデータを受信して、記憶する第１の工程と、
前記受信手段が、前記データ生成装置において生成され、前記通信経路を経由して送信された、複数のコンテンツデータの各々の識別データについて、当該識別データと、当該識別データに対応した前記コンテンツデータの当該データ再生装置での再生タイミングと、当該識別データに対応した前記コンテンツデータと当該データ再生装置で同時に再生される他の前記コンテンツデータを特定するデータとを対応付けて示す再生形式指定データを入力する第２の工程と、
前記コンテンツデータ再生手段が、前記第２の工程で入力した前記再生形式指定データに示された各々の前記識別データについて、当該識別データに対応するコンテンツデータと、当該識別データと対応付けられた前記他のコンテンツデータとを、当該識別データに対応付けられた前記再生タイミングで同時に再生する第３の工程と
を有する、データ再生方法。
【発明の詳細な説明】
【０００１】
【発明の属する技術分野】
本発明は、動画、静止画、テキストなどコンテンツデータ（マルチメディア素材）の再生形式を管理するデータ生成装置、データ再生装置、データ処理システムおよびそれらの方法に関する。
【０００２】
【従来の技術】
動画、静止画、テキストなどの複数のコンテンツデータを再生画面上で同時に表示させるために、データ提供元において、これら動画、静止画、テキストなどを同時に表示する複数のコンテンツデータを組み合わせた新たなコンテンツデータを生成し、これを再生装置に提供するシステムがある。
【０００３】
しかしながら、このようなシステムでは、再生画面上の一部の動画、静止画およびテキストなどを変更した多様な画面を異なる再生装置に提供しようとした場合に、それぞれの再生装置に提供する上記新たなコンテンツデータ全体を個別に作成する必要があり、手間がかかるという問題がある。
【０００４】
また、上述したシステムにおいては、データ提供元が、常に全てのコンテンツデータを保持している必要があり、データ提供元におけるコンテンツデータの保持のための負担が大きいという問題がある。
【０００５】
【発明が解決しようとする課題】
本発明の目的は、複数のコンテンツデータを組み合わせた多様なコンテンツデータを提供する場合の提供元の負荷を低減できるデータ生成装置、データ再生装置、データ処理システムおよびそれらの方法を提供することを目的とする。
【０００６】
また、本発明の目的は、複数のコンテンツデータを組み合わせた多様なコンテンツデータを提供する場合に、提供元によるコンテンツデータを保持する負荷を軽減できるデータ生成装置、データ再生装置、データ処理システムおよびそれらの方法を提供することを目的とする。
【０００７】
【課題を解決するための手段】
本発明によれば、データ再生装置に通信経路を介して接続され、当該データ再生装置においてコンテンツデータを再生するための再生形式を指定する再生形式指定データを生成して前記データ再生装置に送信する、データ生成装置であって、
前記データ再生装置には、再生されるべき複数のコンテンツデータが当該データ生成装置とは異なるコンテンツデータ提供手段から提供され、
当該データ生成装置は、前記コンテンツデータの各々の識別データについて、ユーザの指示に応じて、当該コンテンツデータの識別データと、当該コンテンツデータの識別データに対応した前記コンテンツデータの前記データ再生装置における再生タイミングと、当該コンテンツデータの識別データに対応した前記データ再生装置に提供される前記コンテンツデータと前記データ再生装置において同時に再生される他のコンテンツデータを特定するデータとを対応付けて前記再生形式指定データを生成する、再生形式指定データ生成手段と、当該生成した再生形式指定データを前記データ再生装置に前記通信経路を介して送信する送信制御手段とを有する、データ生成装置が提供される。
前記コンテンツデータは、動画、静止画およびテキストの少なくとも一つのデータを含む。
【０００８】
好ましくは、前記再生形式指定データ生成手段は、前記データ再生装置が、新たな前記再生形式指定データを受け取るタイミングを示す更新タイミング規定データを含む第１のデータ部と、前記複数のコンテンツデータの各々に対応して設けられ、対応するコンテンツデータの前記識別データと、前記再生タイミングと、前記同時に再生される他の前記コンテンツデータを特定するデータとを対応付けて示す複数の第２のデータ部とを含む前記再生形式指定データを生成する。
【０００９】
好ましくは、前記再生形式指定データ生成手段は、前記同時に再生される他の前記コンテンツデータに対応する前記第２のデータ部の識別データを、前記同時に再生される他の前記コンテンツデータを特定するデータとして含む、前記再生形式指定データを生成する。
また好ましくは、前記再生形式指定データ生成手段は、前記コンテンツデータが画像データである場合に、前記データ再生装置での再生画面内における前記画像データの表示位置および表示サイズを示すデータをさらに含む、前記第２のデータ部を生成する。
【００１０】
好ましくは、当該データ生成装置は、前記再生タイミングを規定し、同じ再生タイミングで再生される複数の前記コンテンツデータを指定する入力欄を有し、前記再生タイミングに応じて複数の前記入力欄が順に設けた入力画面を表示する制御を行う表示制御手段をさらに有し、前記再生形式指定データ生成手段は、前記表示制御手段によって表示制御された前記入力画面上で同じ前記入力欄に入力された複数の前記コンテンツデータの前記識別データのそれぞれについて、当該コンテンツデータと前記データ再生装置で同時に再生される他の前記コンテンツデータを特定するデータを対応付けて示す前記再生形式指定データを生成する。
また好ましくは、前記再生形式指定データ生成手段は、前記コンテンツデータの再生に係わる前記データ再生装置に接続された機器を制御する制御データを、当該機器の制御タイミングに対応した前記再生タイミングとさらに対応付けて示す前記再生形式指定データを生成する。
好ましくは、前記コンテンツデータが動画像のデータである場合に、所定のフレームから当該動画像の最初に再生されるフレームまでのフレーム数を示すスポット累積データをさらに対応付けて示す前記再生形式指定データを生成する。
【００１１】
本発明によれば、コンテンツデータを再生するための再生形式を指定する再生形式指定データを生成して送信するデータ生成装置に通信経路を介して接続され、前記データ生成装置から送信された再生形式指定データに従って当該データ生成装置以外の手段から提供されたコンテンツデータを再生する、データ再生装置であって、
複数のコンテンツデータの各々の識別データについて、当該識別データと、当該識別データに対応した前記コンテンツデータの当該データ再生装置での再生タイミングと、当該識別データに対応した前記コンテンツデータと当該データ再生装置で同時に再生される他の前記コンテンツデータを特定するデータとを対応付けて示す再生形式指定データを、前記通信経路を介して入力する入力手段と、前記入力手段が入力した前記再生形式指定データに示された各々の前記識別データについて、当該識別データに対応するコンテンツデータと、当該識別データと対応付けられた前記他のコンテンツデータとを、当該識別データに対応付けられた前記再生タイミングで同時に再生する、コンテンツデータ再生手段とを有する、データ再生装置が提供される。
【００１２】
好ましくは、前記コンテンツデータ再生手段は、少なくとも２つのデコーダを有し、当該２つのデコーダによりシームレスに復号処理を行う。
また好ましくは、前記再生形式指定データが、前記コンテンツデータの再生に係わる当該データ再生装置に接続された機器を制御する制御データを当該機器の制御タイミングに対応した前記再生タイミングとさらに対応付けて示す場合に、前記再生タイミングで、当該再生タイミングに対応付けられた制御データを基に前記機器を制御する機器制御手段をさらに有する。
好ましくは、前記コンテンツデータが動画像のデータであり、前記再生形式指定データが所定のフレームから当該動画像の最初に再生されるフレームまでのフレーム数を示すスポット累積データをさらに対応付けて示す場合に、前記再生手段は、前記スポット累積データを基に、前記動画像の再生を開始するタイミグを決定する。
【００１３】
本発明によれば、通信経路を介して接続されたデータ生成装置とデータ再生装置とを有し、
前記データ再生装置は、前記データ生成装置以外の装置から再生すべき複数のコンテンツデータが提供され、
前記データ生成装置は、前記複数のコンテンツデータの各々の識別データについて、当該識別データと、当該識別データに対応した前記コンテンツデータの当該データ再生装置での再生タイミングと、当該識別データに対応した前記コンテンツデータと当該データ再生装置で同時に再生される他の前記コンテンツデータを特定するデータとを対応付けて示す再生形式指定データを生成し、当該生成した再生形式指定データを前記通信経路を介して前記データ再生装置に送信し、
前記データ再生装置は、前記通信経路を介して前記データ生成装置から受信した前記再生形式指定データに示された各々の前記識別データについて、当該識別データに対応するコンテンツデータと、当該識別データと対応付けられた前記他のコンテンツデータとを、当該識別データに対応付けられた前記再生タイミングで同時に再生する、
データ処理システムが提供される。
【００１４】
本発明によれば、通信経路を介して接続されたデータ再生装置において複数のコンテンツデータを再生するための再生形式を指定する再生形式指定データを生成する、コンピュータを用いて構成される、入力手段と、再生形式指定データ生成手段と、送信制御手段とを有するデータ生成装置におけるデータ生成方法であって、
前記入力手段によってユーザからの操作命令を入力する第１の工程と、
前記再生形式指定データ生成手段が、前記第１の工程で入力した前記操作命令を基に、前記複数のコンテンツデータの各々の識別データについて、当該識別データと、当該識別データに対応した前記コンテンツデータの前記データ再生装置での再生タイミングと、当該識別データに対応した前記コンテンツデータと前記データ再生装置で同時に再生される他の前記コンテンツデータを特定するデータとを対応付けて示す、前記再生形式指定データを生成する第２の工程と、
前記送信制御手段が、前記第２の工程で生成された前記再生形式指定データを前記通信経路を介して前記データ再生装置に送信する第３の工程と
を有するデータ生成方法が提供される。
【００１５】
本発明によれば、コンピュータを用いて構成される、受信手段と、コンテンツデータ再生手段とを有し、通信経路を介して接続されたデータ生成装置から送信された再生形式指定データに基づいてコンテンツデータを再生するデータ再生装置におけるデータ再生方法であって、
前記受信手段が、前記データ生成装置以外の装置から再生すべきコンテンツデータを受信して、記憶する第１の工程と、
前記受信手段が、前記データ生成装置において生成され、前記通信経路を経由して送信された、複数のコンテンツデータの各々の識別データについて、当該識別データと、当該識別データに対応した前記コンテンツデータの当該データ再生装置での再生タイミングと、当該識別データに対応した前記コンテンツデータと当該データ再生装置で同時に再生される他の前記コンテンツデータを特定するデータとを対応付けて示す再生形式指定データを入力する第２の工程と、
前記コンテンツデータ再生手段が、前記第２の工程で入力した前記再生形式指定データに示された各々の前記識別データについて、当該識別データに対応するコンテンツデータと、当該識別データと対応付けられた前記他のコンテンツデータとを、当該識別データに対応付けられた前記再生タイミングで同時に再生する第３の工程と
を有する、データ再生方法が提供される。
【００１６】
【発明の効果】
本発明によれば、複数のコンテンツデータを組み合わせた多様なコンテンツデータを提供する場合の提供元の負荷を低減することができる。
また本発明によれば、複数のコンテンツデータを組み合わせた多様なコンテンツデータを提供する場合に、提供元におけるコンテンツデータを保持する負荷を軽減することができる。
【００１７】
【発明の実施の形態】
以下本発明の実施の形態を図面を参照して説明する。
【００１８】
図１は本発明の実施の形態のデータ処理システムの構成図である。
図１に示すデータ処理システムは、ＲＦＤ(Reproduciton format Designated)データ作成装置１と、再生装置９とを有し、これらがネットワーク８を介して接続されている。
【００１９】
図１において、ＲＦＤデータ作成装置１が本発明のデータ生成装置に対応し、再生装置９が本発明のデータ再生装置に対応している。
図１に示すデータ処理システムでは、ＲＦＤデータ作成装置１が、ＲＦＤデータ（再生フォーマット指定データ、いわゆる、プレイリスト）を作成し、このＲＦＤデータをネットワーク８を介して再生装置９に送信する。
【００２０】
ここで、ＲＦＤデータは、本発明の再生形式（再生フォーマット）指定データに対応する。ＲＦＤデータは、複数のコンテンツデータ（素材データ）の各々を識別する識別データについて、当該識別データと、当該識別データに対応したコンテンツデータの再生装置９での再生タイミングと、当該識別データに対応したコンテンツデータと再生装置９で同時に再生される他のコンテンツデータを特定するデータとを対応付けて示している。
すなわち、ＲＦＤデータは、再生装置９における複数のコンテンツデータの再生形式を指定し、コンテンツデータ自体は格納していない。
【００２１】
また、ＲＦＤデータ作成装置１あるいはその他のサーバ装置が、ＲＦＤデータによって指定されたコンテンツデータを、ＲＦＤデータとは別に、ネットワーク９を介して再生装置９に送信する。
【００２２】
そして、再生装置９が、ネットワーク９を介してＲＦＤデータ作成装置１から受信したＲＦＤデータを基に、ＲＦＤデータ作成装置１あるいはその他のサーバ装置から受信した複数のコンテンツデータの再生形式を決定して、受信した複数のコンテンツデータの再生を行う。
【００２３】
ＲＦＤデータ作成装置１
図１に示すように、ＲＦＤデータ作成装置１は、ユーザの操作命令を入力する入力部２と、コンテンツデータが格納されている記憶部３と、ユーザの操作命令を基にＲＦＤデータを生成するデータ生成部４と、ＲＦＤデータ作成画面を表示する表示制御部５と、作成したＲＦＤデータを格納する記憶部６と、ＲＦＤデータをネットワーク８を介して再生装置９に送出する送信部７とを有する。
【００２４】
図１に示すデータ生成部４が本発明のデータ生成手段に対応し、表示制御部５が本発明の表示制御手段に対応し、送信部７が本発明の送信制御手段に対応している。
【００２５】
入力部２は、キーボード２ａやマウス２ｂと接続されており、ユーザの操作に基づく操作命令を入力する。
【００２６】
記憶部３には、動画、静止画、テロップ用のテキストなどのコンテンツデータが格納されている。
【００２７】
なお、本実施形態では、コンテンツデータが記憶部３に記憶される場合を例示するが、図２に示すように、コンテンツデータはネットワーク８上のコンテンツサーバ装置２２に記憶されていてもよい。この場合に、記憶部３には、ＲＦＤデータで指定するコンテンツデータが、ネットワーク８上の何処に存在するかのデータ（アドレス）が格納される。
【００２８】
このように、ＲＦＤデータの生成をＲＦＤデータ作成装置１で行い、コンテンツデータの保存をコンテンツサーバ装置２２で行うことで、ＲＦＤデータ作成装置１によるコンテンツデータを保持する負荷を軽減することができる。
【００２９】
なお、図２に示す例では、再生装置９には、ＰＣ（パーソナルコンピュータ）２１ａ、ＰＤＰ（プラズマディスプレイパネル）２１ｂ、テレビジョン受像機２１ｃ、スピーカ２１ｄなどの出力装置（機器）が接続されている。
【００３０】
図１に示すデータ生成部４は、入力部２を介して入力したユーザの操作命令を基に、ＲＦＤデータを生成する。
【００３１】
データ生成部４は、複数のコンテンツデータの各々を識別する識別データについて、当該識別データと、当該識別データに対応したコンテンツデータの再生装置９での再生タイミングと、当該識別データに対応したコンテンツデータと再生装置９で同時に再生される他のコンテンツデータを特定するデータとを対応付けて示すＲＦＤデータを生成する。
【００３２】
記憶部６は、データ生成部４が作成したＲＦＤデータを格納する。
送信部７は、記憶部６に格納したＲＦＤデータを、所定の日時にネットワーク８を介して再生装置９に送信する。
【００３３】
また、送信部７は、記憶部３から読み出したコンテンツデータを再生装置９に送信する。
【００３４】
先ず、ＲＦＤデータ作成装置１におけるＲＦＤデータの生成処理を説明する。
図３は、キーボード２ａやマウス２ｂなどにより、ユーザからＲＦＤデータを作成する旨の命令がなされたときに、表示制御部５が表示装置５ａに表示される入力画面１０の一例である。
【００３５】
記憶部３に格納されている選択可能なコンテンツデータの一連を示すコンテンツ選択画面１１が表示制御部５によって表示装置５ａの入力画面１０に表示される。
【００３６】
さらに、表示装置５ａの入力画面１０内にＲＦＤデータ作成画面１２が表示される。
ＲＦＤデータ作成画面１２において、作成対象のＲＦＤデータに応じたコンテンツデータの再生処理が実行される日時と、個々のコンテンツデータによるイベント（再生）が実行される時間が横軸に記載されている。
【００３７】
また、図３において、表示装置５ａのＲＦＤデータ作成画面１２における縦軸は、動画、静止画、テロップといったコンテンツデータの属性で区分されている。
【００３８】
ユーザは、例えば、時刻０６：００：２５に再生装置９において動画１を再生させたい場合、表示装置５ａにおけるコンテンツ選択画面１１の動画リストから動画１を選択し、マウス２ｂによるドラッグ＆ドロップ動作などにより、矢印ＡのようにＲＦＤデータ作成画面１２の所定の欄に貼り付ける。
ユーザは、静止画やテロップについても同様に、表示装置５ａにおけるＲＦＤデータ作成画面１２の所定の欄（本発明の入力欄）に貼り付ける操作を行う。
【００３９】
データ生成部４は、ユーザが行った当該貼り付け操作を基に、ＲＦＤデータを生成する。
このように、データ生成部４において作成されたＲＦＤデータは、記憶部６に格納される。
【００４０】
記憶部６に格納されたＲＦＤデータは送信部７によって、ＲＦＤデータに記載された送出（再生）日時以前に、ネットワーク８を介して再生装置９に送出され、再生装置９で、ＲＦＤデータに記載されたイベント（再生）を指定された日時に、コンテンツデータの再生処理を実行する。
【００４１】
図４は、上記の動作で、再生装置９において時刻「０６：００：２５」に再生される画面の例である。
【００４２】
前述したようにＲＦＤデータにはコンテンツデータの再生時の画面のサイズ及び画面の位置が記載されているので、再生装置９に接続される図示しないモニタ装置などの画面１５上では、ＲＦＤデータに記載されているイベントが、ＲＦＤデータで指定された画面上の位置である動画は動画表示領域１６、静止画は静止画表示領域１７、テロップはテロップ表示領域１８に表示されるように、再生処理が実行される。
【００４３】
なお、静止画は、モニタ装置などの画面１５における静止画表示領域１７に、動画およびテロップの背景画面として表示されてもよい。
このように、ユーザは、画面上で、動画、静止画、テロップなどの表示順番と、表示時間などを指定するＲＦＤデータを作成するだけで、複雑な編集作業をせずに動画、静止画、テロップを組み合わせたコンテンツデータの表示を実現できる。
【００４４】
また、詳細なフォーマットについては後述するが、ＲＦＤデータには、同時に再生される複数のコンテンツデータを関連付けるデータが記載されている。
例えば、図４で示したように、動画を再生している最中に静止画やテロップを同時に表示したい場合、ＲＦＤデータに記載される動画を実行する旨のイベント部には、同時に表示される静止画やテロップのイベント番号が記載される。
【００４５】
これにより、複数ファイルからなる動画において、スキップ再生やシャトルサーチなどを行った場合、即座に関連するイベント番号を参照でき、異なる属性のコンテンツデータを組み合わせたイベントの特殊再生が可能になる。
以下、図１に示すＲＦＤデータ作成装置１の構成例を説明する。
【００４６】
図５は、図１に示すＲＦＤデータ作成装置１のハードウェア構成図である。
【００４７】
ＲＦＤデータ作成装置１は、例えば、ＰＣ(Personal Computer) であり、装置全体を制御するＣＰＵ（Central Processing Unit）３１と、ＲＯＭ（Read OnlyMemory ）３２、ＲＡＭ（Random Access Memory）３３、などのメモリ類と、ＨＤＤ（Hard Disk Drive）３４と、入力インターフェース３５と、グラフィックインターフェース３６と、通信インターフェース３７がバス３８に接続されている構成となる。
【００４８】
ここで、入力インタフェース３５が図１に示す入力部２に対応し、ＨＤＤ３４が図１に示す記憶部３および記憶部６に対応し、ＣＰＵ３１が図１に示すデータ生成部４に対応し、ＣＰＵ３１およびグラフィックインターフェース３６が図１に示す表示制御部５に対応し、通信インタフェース３７が図１に示す送信部７に対応している。
【００４９】
ＲＡＭ３３には、ＣＰＵ３１に実行させるＯＳ（Operating System）のプログラムやアプリケーションプログラムの少なくとも一部が一時的に格納される。
また、ＲＯＭ３２にはＨＤＤ３４の起動に必要なファームウェア（ソフトウエア）などが格納されている。
【００５０】
また、ＨＤＤ３４には、ＯＳやＲＦＤデータを作成するためのアプリケーションプログラム、動画や静止画、テロップなどのコンテンツデータ、並びに作成されたＲＦＤデータが格納される。
【００５１】
図１の入力部２に対応する入力インターフェース３５には、マウス２ｂに対応するマウス３５ａとキーボード２ａに対応するキーボード３５ｂとが接続されている。
入力インターフェース３５は、マウス３５ａやキーボード３５ｂから送られてくる信号を、バス３８を介してＣＰＵ３１に送信する。
【００５２】
グラフィックインターフェース３６には、モニタ３６ａが接続されている。グラフィックインターフェース３６は、ＣＰＵ３１からの命令に従って、画像をモニタ３６ａの画面に表示させる。
【００５３】
通信インターフェース３７は、ネットワーク８に接続されている。通信インターフェース３７は、ネットワーク８を介して、再生装置９に作成したＲＦＤデータを送る。
【００５４】
以下、図５に示すＲＦＤデータ作成装置１におけるＲＦＤデータの作成方法を説明する。
【００５５】
図６は、ＲＦＤデータ作成方法を示すフローチャートである。
【００５６】
〔ステップＳＴ１〕
ＣＰＵ３１はマウス３５ａやキーボード３５ｂによってなされたユーザによるＲＦＤデータを作成したい旨の命令を、入力インターフェース３５を介して受信する。
【００５７】
〔ステップＳＴ２〕
ユーザによるＲＦＤデータ作成命令をうけて、ＣＰＵ３１はＨＤＤ３４に格納されているアプリケーションプログラムを実行する。その結果、グラフィックインターフェース３６で処理され、モニタ３６ａに、例えば、図３あるいは図７に示す入力画面（ＲＦＤ作成画面）１０，４０が表示される。
【００５８】
図７はモニタ３６ａに表示される入力画面の一例例であり、図４に示す入力画面１０をさらに詳細に示した図である。
図７において、Ｔ１はタイトル、Ｔ２は時間、Ｓはサイズ、ＣＮは文字数、Ｉはイベント、ＩＮはイベント数、Ｒは編集、ＩＲは緊急再生、ＴＲは転送を示している。
【００５９】
図７に示すように、モニタ３６ａに表示される入力画面４０上に、コンテンツ選択ウィンドウ４１と、ＲＦＤデータ作成ウィンドウ４２が表示される。
なお、図７の編集ウィンドウ４２は、コンテンツ選択ウィンドウ４１のリスト内で“０２  サンプル２”を選択し、例えば、マウス３５ａをダブルクリックするか、編集ボタン４３を押したときに表示されるウィンドウである。
【００６０】
また、緊急再生ボタン４４は、災害などの緊急時に自動的にコンテンツデータを再生したい場合にこのボタンを押すと再生装置９に緊急プログラムとして割り込ませて、再生したコンテンツデータが送出される。
【００６１】
また、ＲＦＤデータ欄の転送ボタン４５を押すと、選択されたＲＦＤデータが、転送先４６で指定された再生装置９に転送される。
また、その他のコンテンツ選択欄で、コンテンツデータを選んで転送ボタン４５を押すと、転送先４６で指定された転送先にコンテンツデータが転送される。
【００６２】
〔ステップＳＴ３〕
ユーザが、ステップＳＴ２でモニタ３６ａに表示されたＲＦＤデータ作成画面上でＲＦＤデータの編集（作成）操作を行う。
そして、ＣＰＵ３１が、当該編集操作に応じてＲＦＤデータを生成する。
【００６３】
図７のモニタ３６ａに表示されるＲＦＤデータ作成画面において、ユーザは、コンテンツ選択ウィンドウ４１のコンテンツデータのリストから所望のコンテンツデータをマウス３５ａまたはキーボード３５ｂで選択し、マウス３５ａによるドラッグ＆ドロップ動作や、コピー＆ペーストなどによりＲＦＤデータ作成ウィンドウ４２の、その素材を実行したい時間の欄に貼り付ける。これによって、選択されたコンテンツデータの識別データを含むイベントを作成することができる。
この動作を繰り返すことで、複数のイベントからなるＲＦＤデータを作成することができる。
【００６４】
さらに、ＲＦＤデータ作成装置１では、再生装置９側に設けられた外部機器を制御するための制御信号（外部機器制御）をＲＦＤデータで管理しており、当該外部機器制御が可能である。
【００６５】
例えば、図２に示すように再生装置９に接続されているＰＤＰ（プラズマディスプレイパネル）２１ｂの電源のオン・オフ制御が可能である。さらに、再生装置９の図示しないＧＰＩ（General Purpose Interface ）端子により、例えば、映画館などで場内放送、カーテンの開け閉め、ライトのオン・オフといった制御が、ＲＦＤデータに同期して自動的に行うことが可能である。
【００６６】
〔ステップＳＴ４〕
ＣＰＵ３１が、ステップＳＴ３で生成したＲＦＤデータを、ＨＤＤ３４に書き込む。
【００６７】
再び、図７のモニタ３６ａに表示されるＲＦＤデータ作成画面により、ＨＤＤ３４に格納されたＲＦＤデータを呼び出し、編集することも可能である。
次に、各コンテンツデータのファイルフォーマットについて説明する。
【００６８】
コンテンツデータのファイルは、ＲＦＤデータ作成装置１あるいはコンテンツサーバ装置２２で生成される。
【００６９】
図８Ａ，図８Ｂ，図８Ｃ，図８Ｄは、コンテンツデータの概略のフォーマットを示す図であり、図８Ａは動画ファイルのフォーマット、図８Ｂは静止画ファイルのフォーマット、図８Ｃはテロップファイルのフォーマット、図８Ｄは外部機器制御ファイルのフォーマットを示す図である。
【００７０】
動画ファイルのフォーマットは、例えば、ＭＰＥＧ（Moving Picture coding ExpertsGroup）２形式のファイルに、他にヘッダーファイルとリンクファイルを加えたものを１ファイルとして扱う。
【００７１】
静止画のフォーマット、テロップのフォーマット、外部機器のフォーマットは同様で、データ部にヘッダー部が付加されたフォーマットである。
【００７２】
図９は、動画ファイルと静止画ファイルに付加されるヘッダー部のフォーマットを示す図である。
【００７３】
図９に示すように、ヘッダー部には、ファイルのバージョンやタイトル、更新日時などが記載される。
【００７４】
再生装置９は、受信したファイルのヘッダー部で示される図９に示す更新日時に、新たなコンテンツデータのファイル（更新ファイル）を受信する。
【００７５】
図１０はテロップファイルのフォーマットを示す図である。
テロップファイルには、ヘッダー部（Ｈ０１、Ｈ０２）のファイルバージョンと、国コードのほか、データ部（Ｂ０１〜０７）として、タイトル名や、更新日時、文字数、表示の種別、背景色や文字色の指定、テロップの内容などが記載される。
【００７６】
図１１は、外部機器制御ファイルのフォーマットを示す図である。
外部機器制御ファイルには、ヘッダー部（Ｈ０１、Ｈ０２）のファイルバージョンと、国コードのほか、データ部（Ｂ０２〜Ｂ０５）として、タイトル名や、更新日時、ＧＰＩ出力かＰＤＰ制御かの制御種別、制御内容などが記載される。
【００７７】
再生装置９は、ＲＦＤデータ内で、再生を行うコンテンツデータの再生タイミングと対応付けられた外部機器制御ファイルを基に、当該コンテンツデータの再生と同期して同じタイミングで、外部機器の制御を行う。
【００７８】
以下、ＲＦＤデータ作成装置１によって生成されるＲＦＤデータと送出ログのフォーマットを説明する。
ここで、送出ログは、ＲＦＤデータを通信インターフェース３７（図５）により、ネットワーク８を介して再生装置９に送出したときのログである。
【００７９】
図１２Ａ，図１２ＢはＲＦＤデータおよび送出ログの概略のフォーマットを示す図であり、図１２ＡはＲＦＤデータのフォーマット、図１２Ｂは送出ログのフォーマットを示す図である。
ＲＦＤデータおよび送出ログは、図９で示したヘッダー部と、ＲＦＤデータ（ＲＦＤ）・ヘッダー部または送出ログ・ヘッダー部と、ＲＦＤ・イベント部または送出ログ・イベント部とを備えたフォーマットを有している。
【００８０】
図１３は、図１２Ａ，図１２Ｂに示すＲＦＤ・ヘッダー部及び送出ログ・ヘッダー部のフォーマットを示す図である。
当該ヘッダー部が本発明の「再生形式（再生フォーマット）指定データ」における第１のデータ部に対応している。
【００８１】
図１３に示すように、当該ヘッダー部には、イベント総数、再生装置９における当該ＲＦＤデータを用いたコンテンツデータの再生開始日時を示す送出開始日時及び送出終了日時などが記載される。また、ＲＦＤデータの項目には送出曜日指定などが記載される。
【００８２】
図１４は、ＲＦＤデータ及び送出ログのボディ部を示す図であり、図１２のＲＦＤ・イベント部および送出ログ・イベント部に相当する部分のフォーマットを示している。
当該ボディ部が本発明の「再生形式（再生フォーマット）指定データ」における第２のデータ部に対応している。
【００８３】
図１４に示すように、当該イベント部には、ファイル種別、ファイル名、タイトル名、送出時間、送出予定日時、スポット累積データ、表示位置および表示サイズなどが記載されている。
【００８４】
ファイル種別は、当該イベントで管理する動画、静止画、テロップなどのコンテンツデータ、外部機器制御ファイルの種別を示す。
【００８５】
ファイル名は、当該イベントで管理する動画、静止画、テロップなどのコンテンツデータ、並びに外部機器制御ファイルの識別データ（本発明の識別データ）を示す。
【００８６】
送出予定時間は、当該イベントに係わるコンテンツデータの再生、並びに外部機器制御ファイルを基にした外部機器制御を再生装置９が行う日時（再生タイミング）を示す。
【００８７】
当該送出予定時間は、例えば、図３および図７に示す入力画面上で、コンテンツデータの識別データが割り当てられた時間帯を基に、図１に示すデータ作成装置１のデータ生成部４によって生成される。
【００８８】
スポット累積データは、ＲＦＤデータ内の先頭のイベントの画像フレームから、対象となるイベントの動画像の最初のフレームまでのフレーム数を示している。
表示位置は、コンテンツデータに応じた動画、静止画、テロップなどの画像を再生装置９の再生画面上で表示する位置を示す。
【００８９】
表示サイズは、コンテンツデータに応じた動画、静止画、テロップなどの画像を上記再生画面上で表示するサイズを示す。
また、ＲＦＤデータには、動画依存関係、静止画依存関係、テロップ依存関係の項目が存在する。
【００９０】
当該動画依存関係、静止画依存関係、テロップ依存関係の項目は、対象となるイベント部のファイル名に示されたコンテンツデータと、同時に再生する動画、静止画およびテロップに関するイベント部の識別データ（本発明における「提供先で同時に再生される他のコンテンツデータを特定するデータ」に対応）を示している。
【００９１】
例えば、イベント番号１の動画を再生する場合、そのとき同時に再生または表示されるテロップや、静止画などのイベント番号が記載される。
動画依存関係、静止画依存関係、テロップ依存関係の項目は、例えば、図３および図７に示す入力画面上で、同じ時間帯に割り当てられた同時に再生される予定の複数のコンテンツデータの識別データを基に、図１に示すデータ生成部４によって生成される。
【００９２】
これにより、任意のイベントにスキップまたはシャトルサーチしても動画、静止画、テロップの関連情報をイベントごとに参照できるため、ＲＦＤデータ間のスキップ、シャトルサーチを行った後に対応する静止画、テロップ、動画を関連付けた表示をすることが可能となる。
【００９３】
本実施形態において、動画１、静止画１およびテロップ１を同時に再生する場合には、ＲＦＤデータ作成装置１は、図１５Ａに示すように、図１２に示すＲＦＤデータ内で動画１、静止画１およびテロップ１のＲＦＤ・イベント部を連続して配置する。
【００９４】
そして、ＲＦＤデータ作成装置１は、図１５Ｂに示すように、動画１、静止画１およびテロップ１のファイルデータ（コンテンツデータ）が順にネットワーク８を介して再生装置９に送信されるように制御する。
【００９５】
図１６は、ＲＦＤデータのファイル種別が動画（１）であった場合に作成される動画シーケンスリストである。
このように、ＲＦＤデータ中の動画ファイルのみを、抽出してＨＤＤ３４に記録して動画シーケンスリストを作成してもよい。これにより、動画複数ファイルのシャトルサーチ、スキップ再生がファイル間で黒画やフリーズ画を出さずに制御することができる。
【００９６】
図１７は、ＲＦＤデータによる外部機器の制御をファイル化したときの管理画面を示す図である。
このように、管理画面で一覧表示することで、ＨＤＤ３４から任意に呼び出すことが可能となり、ユーザの操作性を向上させることも可能となる。
これにより、例えば、ＲＦＤデータが連続している時間の間だけＰＤＰ（プラズマディスプレイパネル）２１ｂの電源のオンオフ、入力切替などを行ったり、ＧＰＩで外部に対して信号を発生することで、映画館などの場内放送のオンオフ、カーテンの開け閉め、ライトのオンオフといった制御がＲＦＤデータに同期して行うことを可能にする。
【００９７】
再生装置９
以下、図１に示す再生装置９のハードウェア構成を説明する。
【００９８】
図１８は、図１に示す再生装置９のハードウェア構成図である。
ＰＣＩ（Peripheral Component Interconnect）バス５０には、コントロールとＡＶ（オーディオ、ビデオ）データの転送を兼用して、ＩＥＥＥ１３９４規格のｉ．Ｌｉｎｋ（ｉ．Ｌｉｎｋはソニー株式会社の登録商標である）端子５１と、１００ＢＡＳＥ−Ｔなどのイーサーネットケーブルでネットワーク８に接続するためのネットワークインターフェース５２と、ＲＳ−２３２Ｃ規格やＲＳ−４２２Ａ規格に準拠したシリアル通信用のシリアルコントローラ５３と、ＨＤＤ５４ａをコントロールするハードディスクコントローラ５４と、ＣＰＵ５５と、ＰＣＩブリッジ５６とが接続される。
さらにＰＣＩブリッジ５６には、２つのＭＰＥＧデコーダ５７、５８と、ＡＶ管理用のＳＤＲＡＭ（Synchronous Dynamic Random Access Memory）５９が接続されている。
【００９９】
図１８に示すｉ．Ｌｉｎｋ端子５１、ネットワークインターフェース５２あるいはシリアル通信用のシリアルコントローラ５３が、再生装置９における本発明の入力手段に対応し、ＣＰＵ５５およびＭＰＥＧデコーダ５７，５８が本発明の再生手段に対応している。
【０１００】
ＣＰＵバス６０には、ＣＰＵ５５のほか、ＳＤＲＡＭ６１、フラッシュメモリ６２、不揮発性メモリ６３などのメモリと、２つのＭＰＥＧデコーダ５７、５８とグラフィックコントローラ６４とが接続されている。
【０１０１】
さらに、アナログ信号の入出力用として、アナログブロック６５を有し、Ａｕｄｉｏ／Ｖｉｄｅｏインターフェース６６と接続されている。またＡｕｄｉｏ／Ｖｉｄｅｏインターフェース６６はＭＰＥＧデコーダ５７、５８と、グラフィックコントローラ６４と接続されている。
【０１０２】
さらに、再生装置９は赤外線リモートコントローラ（以下、リモコン）によりユーザからの命令を受信するリモコン信号受信部（以下、ＩＲとする）６７を備え、ＣＰＵ５５にリモコンからの命令を伝える。
【０１０３】
ＨＤＤ５４ａには、ネットワーク８を介して受信した動画、静止画、テロップ用のテキストなどのコンテンツデータが格納されているほか、前述したＲＦＤデータ作成装置１から送信されるＲＦＤデータが格納されている。
【０１０４】
ファームウェアは、ＣＰＵバス６０上のフラッシュメモリ６２上に記録されたプログラムから実行する。
フラッシュメモリ６２には、ＨＤＤ５４ａをアクセスすることを可能にするドライバ、イーサーネットを使用することを可能にするドライバ、メンテナンス機能を実現する各種ファームウェアが実装されている。
フラッシュメモリ６２のファームウェアは、起動後、ＨＤＤ５４ａ上のファイルを検索して、実行するアプリケーションファームウェアを検出する。続いて、ＨＤＤ５４ａから、ＳＤＲＡＭ６１にファームウェアを展開して、展開したアプリケーションファームウェアを実行する。
【０１０５】
動画の記録や、再生、静止画の出力の制御は、イーサーネット、シリアル通信、リモコン及びコントロールパネルからのコマンドで行う。また、内部で送出リストを記憶して、時間や、リモコンからのトリガーで送出リストを開始する方法を用いてもよい。
再生装置９での、コンテンツデータの再生または表示について説明する。
【０１０６】
ＲＦＤデータ作成装置１からネットワーク８を介して、ネットワークインターフェース５２においてＲＦＤデータを受信すると、ＣＰＵ５５の制御のもと受信したＲＦＤデータをＨＤＤ５４ａに記録する。
【０１０７】
ＣＰＵ５５は、ＲＦＤデータの記載に従って、所定の時間に、所定の画面サイズで、ＨＤＤ５４ａから使用するコンテンツデータを取り出し、グラフィックコントローラ６４などで処理し、ＰＤＰ２１ｂなどに出力し表示する。
【０１０８】
例えば、ＭＰＥＧ２形式の動画を再生する場合、ＣＰＵ５５より、再生コマンドを受けると、ＨＤＤ５４ａに記録されているファイルから指定映像データを検索して、順次データをＰＣＩブリッジ５６に転送する。
【０１０９】
データの転送はＣＰＵ５５の制御のもと、ハードディスクコントローラ５４で行われる。ＰＣＩブリッジ５６ではデータをＡＶ管理用のメモリであるＳＤＲＡＭ５９に展開する。ＰＣＩブリッジ５６は実時間に同期して、一定レートでＭＰＥＧデコーダ５７、５８及び、図示しない音声用のデコーダにデータを転送する。
【０１１０】
ＣＰＵ５５はＰＣＩブリッジ５６のＳＤＲＡＭ５９のデータ消費量を実時間から推定して、順次ＨＤＤ５４ａからデータを読み取り、ＳＤＲＡＭ６１に転送して、データが、ＳＤＲＡＭ６１において、アンダーフローや、オーバーフローしないように、転送を行う。
【０１１１】
ＣＰＵ５５は、ＲＦＤデータ内の図１２および図１４に示すＲＦＤ・イベント部を基にコンテンツデータの再生を行う。
【０１１２】
ＣＰＵ５５は、ＲＦＤ・イベント部のファイル名に対応するコンテンツデータを、その送出予定日時に、その表示位置および表示サイズで表示するように再生処理を行う。
【０１１３】
このとき、ＣＰＵ５５は、ＲＦＤ・イベント部の動画、静止画およびテロップの依存関係に示されているＲＦＤイベント部に対応するコンテンツデータを同時に再生する。
【０１１４】
また、ＣＰＵ５５は、ＲＦＤ／イベント部が外部機器制御データに関するものである場合に、その送出予定日時に、当該外部機器制御データを基に、外部機器を制御する。
【０１１５】
さらに、ＣＰＵ５５は、ＲＦＤ／イベント部がコンテンツデータが動画像に関するものである場合には、スポット累積データを基に、フレーム数をカウントし、その動画の再生を開始するタイミングを決定する。
【０１１６】
ここで、ＭＰＥＧデコーダ５７、５８のようにデコーダを２つ使用することで、フレーム精度でシームレスに（フレームの切れ目なしに）２つの画像データを接続することが可能となっている。ＭＰＥＧ２は前後の画像データから、動き予測を行うことでデータの圧縮を行っている。
【０１１７】
したがって、フレームによっては単独で画像データを構築できない部分がある。そのような位置で編集点が指定されると、正常な画像で映像をつなぐことができなくなる。
【０１１８】
そこで、２つのＭＰＥＧデコーダ５７、５８を使用して、デコーダ出力部にビデオスイッチャーを用意することで、各映像データを単独でデコードして、圧縮画像の展開を個別に正常に行わせ、外部のスイッチャーでアナログ的に切り替えることで、任意の点でのカット編集を可能としている。
【０１１９】
前述したように、ＲＦＤデータには、各コンテンツデータの識別データに対応付けて、同時に再生される他のコンテンツデータのイベント部の識別データが記述されているため、再生装置９は、これを基に容易に当該他のコンテンツデータを特定できる。
【０１２０】
これにより、複数ファイルからなる動画において、スキップ再生やシャトルサーチなどを行った場合、即座に関連するイベント番号を参照でき、異なる属性のコンテンツデータを組み合わせたイベントの特殊再生が可能になる。
【０１２１】
また、図１６で示したようにＲＦＤデータで指定された動画ファイルのみを抽出して作成した動画シーケンスリストを受信し、その記載に従って２個のデコーダ５７、５８で再生することにより、ユーザによりリモコンでシャトルサーチや、スキップ再生をする旨の入力がなされたとき、動画について複数ファイルのシャトルサーチ、スキップ再生がファイル間で黒画やフリーズ画を出さずに制御することができる。
【０１２２】
また、前述したように、ＲＦＤデータには、外部機器を制御するための制御信号が管理されており、ＣＰＵ５５は、ＲＦＤデータの記述に従って、シリアルコントローラ５３などで、ＰＤＰ２１ｂなどの外部機器の電源のオンオフや入力切替などの制御を行う。
【０１２３】
さらに、ＧＰＩ端子などを備えることにより、例えば、映画館や劇場のカーテンの開け閉めや、照明のオンオフなどの制御をＲＦＤデータに従って自動で行うことが可能となり、人員の削減、コストの削減、省エネルギー化などが期待できる。
【０１２４】
また、図１５Ａを用いて説明したように、動画１、静止画１およびテロップ１を同時に再生する場合には、ＲＦＤデータ内で動画１、静止画１およびテロップ１のＲＦＤ・イベント部を連続して配置され、動画１、静止画１およびテロップ１のファイルデータ（コンテンツデータ）が順にネットワーク８を介して再生装置９に送信される。そのため、再生装置９は、同時に再生する複数のファイルデータの最後のファイルデータを受信したタイミングで、早い段階で受信したファイルデータの再生を開始することができる。
【０１２５】
本発明のコンテンツデータ再生システムによって次のようなシステムが可能になる。
【０１２６】
図１９は、ネットワーク広告システムである。
ネットワーク広告システムは、前述したＲＦＤデータ作成装置１を有する本部７０と、コンテンツを配信するコンテンツ配信業者７１と、前述した再生装置９を有する店舗７３ａ、７３ｂ、７３ｃとから構成され、これらはネットワーク７２を介して接続される。
【０１２７】
ＲＦＤデータ作成装置１を有する本部７０から、ネットワーク７２を介し再生装置９を有する店舗７３ａ、７３ｂ、７３ｃにＲＦＤデータが送信される。それとともにコンテンツ配信業者７１から宣伝用のコンテンツが送信され、店舗ではＲＦＤデータ７５に従って宣伝用のコンテンツを自動的に実行できる。
【０１２８】
図２０は、企業などで行われるトレーニングシステムである。
トレーニングシステムは、コンテンツの供給とＲＦＤデータ７５の作成を行う本部８０と、ネットワーク８１を介して本部８０と接続される企業８２内に設置されるサーバ８３とＬＡＮ（ローカルエリアネットワーク）で接続された複数の再生装置８４ａとからなる。
【０１２９】
上記の構成によれば、ＲＦＤデータの記載に従って、企業８２内に設置される複数の再生装置８４ａでトレーニング用のコンテンツを自動的に再生することが可能になる。ここで、再生装置８４ａは、前述した再生装置９と同様の構成を有している。
【０１３０】
また、博物館などで、展示物ごとに再生装置を設け、決まった時間に展示物のプレゼンテーション用のコンテンツを自動的に再生するようなシステムも実現できる。
【０１３１】
以上説明したように、本実施形態のデータ処理システムによれば、ＲＦＤデータ作成装置１においてＲＦＤデータを生成して再生装置９に送信し、それとは別にコンテンツデータを再生装置９に送信する。そのため、再生装置９の再生画面を変更したり、複数の再生装置９に異なる再生画面を提供する場合に、ＲＦＤデータ作成装置１においてＲＦＤデータのみを変更すればよく、ＲＦＤデータ作成装置１の負担を軽減できる。
【０１３２】
また、本実施形態のデータ処理システムによれば、図２に示すように、コンテンツサーバ装置２２から再生装置９にコンテンツデータを提供することで、ＲＦＤデータ作成装置１はコンテンツデータ自体を保持する必要がなくなり、ＲＦＤデータ作成装置１の保存に伴う負担を軽減できる。
【０１３３】
また、本実施形態のデータ処理システムによれば、ＲＦＤデータ内に同時に再生される他のコンテンツデータ間の依存関係を示す情報が記述されているため、再生装置９において、複数ファイルからなる動画において、スキップ再生やシャトルサーチなどを行った場合、即座に関連するイベント番号を参照でき、異なる属性のコンテンツデータを組み合わせたイベントの特殊再生を高速に行うことが可能になる。
【０１３４】
また、本実施形態のデータ処理システムによれば、ＲＦＤデータは外部機器をコントロールするための制御信号を管理するようにしたので、外部機器の制御をＲＦＤデータに同期して自動的に行うことが可能である。これにより、外部機器の無人運用が可能になり、コストの削減が期待できる。また、省エネルギー化も期待できる。
【０１３５】
以上のように、本発明のデータ生成装置、データ再生装置、データ処理システムおよびそれらの方法動画、静止画、テキストなどコンテンツデータの再生形式を管理する場合に適している。
【図面の簡単な説明】
【図１】図１は本発明の実施の形態に係わるＲＦＤデータ作成装置の構成図である。
【図２】図２は本発明の実施の形態の変形例を説明するための図である。
【図３】図３は本発明の実施の形態に係わるＲＦＤデータ作成の際の表示例を説明するための図である。
【図４】図４は図１に示す再生装置において再生される画面の例を説明するための図である。
【図５】図５は図１に示すＲＦＤデータ作成装置のハードウェア構成図である。
【図６】図６はＲＦＤデータ作成方法を示すフローチャートの図である。
【図７】図７はＲＦＤデータ作成画面の例を説明するための図である。
【図８】図８Ａは動画ファイルのフォーマットを示す図であり、図８Ｂは静止画ファイルのフォーマットを示す図であり、図８Ｃはテロップファイルのフォーマットを示す図であり、図８Ｄは外部機器制御ファイルのフォーマットを示す図である。
【図９】図９は動画ファイルと静止画ファイルに付加されるヘッダー部のフォーマットを示す図である。
【図１０】図１０はテロップファイルのフォーマットを示す図である。
【図１１】図１１は外部機器制御ファイルのフォーマットを示す図である。
【図１２】図１２ＡはＲＦＤデータのフォーマットを示す図であり、図１２Ｂは送出ログのフォーマットを示す図である。
【図１３】図１３はＲＦＤデータ・ヘッダー部及び送出ログ・ヘッダー部のフォーマットを示す図である。
【図１４】図１４はＲＦＤデータ及び送出ログのボディ部のフォーマットを示す図である。
【図１５】図１５ＡはＲＦＤデータの一例を示す図であり、図１５Ｂはコンテンツデータの送信順序を説明するための図である。
【図１６】図１６はＲＦＤデータのファイル種別が動画であった場合に作成される動画シーケンスリストを説明するための図である。
【図１７】図１７はＲＦＤデータの外部機器の制御をファイル化したときの管理画面を示す図である。
【図１８】図１８は図１に示す再生装置のハードウェア構成図である。
【図１９】図１９は本発明を適用したネットワーク広告システムを説明するための図である。
【図２０】図２０は本発明を適用したトレーニングシステムを説明するための図である。
【符号の説明】
１……ＲＦＤデータ作成装置、２……入力部、２ａ…キーボード、２ｂ…マウス、３……記憶部、４……データ生成部、５……表示制御部、５ａ…表示装置、６……記憶部、７……送信部、８……ネットワーク、９……再生装置
【図１】
0004265406.tif 000002
【図２】
0004265406.tif 000003
【図３】
0004265406.tif 000004
【図４】
0004265406.tif 000005
【図５】
0004265406.tif 000006
【図６】
0004265406.tif 000007
【図７】
0004265406.tif 000008
【図８Ａ】
0004265406.tif 000009
【図８Ｂ】
0004265406.tif 000010
【図８Ｃ】
0004265406.tif 000011
【図８Ｄ】
0004265406.tif 000012
【図９】
0004265406.tif 000013
【図１０】
0004265406.tif 000014
【図１１】
0004265406.tif 000015
【図１２Ａ】
0004265406.tif 000016
【図１２Ｂ】
0004265406.tif 000017
【図１３】
0004265406.tif 000018
【図１４】
0004265406.tif 000019
【図１５Ａ】
0004265406.tif 000020
【図１５Ｂ】
0004265406.tif 000021
【図１６】
0004265406.tif 000022
【図１７】
0004265406.tif 000023
【図１８】
0004265406.tif 000024
【図１９】
0004265406.tif 000025
【図２０】
0004265406.tif 000026
0004265406.tif 000027